(57)【要約】【課題】各第２の電極に設けるスリットを一方端側が開放されたものとした場合に、混色が発生しないＦＦＳモードの液晶表示パネルを提供すること。【解決手段】複数の走査線１２及び信号線１７で区画された領域に形成された第１の電極１４と、第１の電極１４上に絶縁膜を介して形成された第２の電極２１と、第２の電極２１に信号線１７と交差する方向に互いに平行に設けられた複数のスリット２０Ａと、を有するアレイ基板と、カラーフィルタ層を有するカラーフィルタ基板と、を有するＦＦＳモードの液晶表示パネル１０Ａにおいて、複数のスリット２０Ａは一方端２０Ａ'側が開放されており、各画素に対応する信号線１７に沿った方向の前記カラーフィルタ層の中心線３０は平面視で第２の電極２１の中心線３１から前記スリットの開放端側へずれた表示中心線３２に合わされていることを特徴とする。【選択図】図３
2008096960.tif 000002
【特許請求の範囲】
【請求項１】
平行に設けられた複数の走査線と、前記走査線と直交する方向に設けられた複数の信号
線と、複数の前記走査線及び信号線で区画された領域に形成された第１の電極と、前記第
１の電極と絶縁膜を介して形成された第２の電極と、前記第２の電極に前記信号線と交差
する方向に互いに平行に設けられた複数のスリットと、を有するアレイ基板と、
カラーフィルタ層を有するカラーフィルタ基板と、
前記アレイ基板と前記カラーフィルタ基板とにより挟持された液晶層と、を有し、前記
第１の電極と前記第２の電極との間に生じる電界によって前記液晶層を駆動する液晶表示
パネルにおいて、
前記複数のスリットは一方端側が開放されており、
各画素に対応する信号線に沿った方向の前記カラーフィルタ層の中心線は平面視で前記
第２の電極の中心線から前記スリットの開放端側へずれていることを特徴とする液晶表示
パネル。
【請求項２】
平行に設けられた複数の走査線と、前記走査線と直交する方向に設けられた複数の信号
線と、複数の前記走査線及び信号線で区画された領域に形成された第１の電極と、前記第
１の電極と絶縁膜を介して形成された第２の電極と、前記第２の電極に前記信号線と交差
する方向に互いに平行に設けられた複数のスリットと、を有するアレイ基板と、
カラーフィルタ層を有するカラーフィルタ基板と、
前記アレイ基板と前記カラーフィルタ基板とにより挟持された液晶層と、を有し、前記
第１の電極と前記第１の電極との間に生じる電界によって前記液晶層を駆動する液晶表示
パネルにおいて、
前記複数のスリットは一方端側が開放されており、
各画素に対応する信号線に沿った方向の前記カラーフィルタ層の中心線は平面視で前記
信号線の中心から隣り合う信号線の中心までの距離の中間に位置する中心線から前記スリ
ットの開放端側へずれていることを特徴とする液晶表示パネル。
【請求項３】
前記カラーフィルタ層の中心線は、前記スリットの開放端側へずれている表示中心線と
一致していることを特徴とする請求項１又は２に記載の液晶表示パネル。
【請求項４】
前記複数のスリットは、前記走査線に対して傾いた方向に設けられていることを特徴と
する請求項１〜３のいずれかに記載の液晶表示パネル。
【請求項５】
走査線間に走査線と平行にコモン配線が設けられており、前記複数のスリットは前記コ
モン配線の両側で互いに異なる方向に傾けて設けられていることを特徴とする請求項４に
記載の液晶表示パネル。
【請求項６】
前記コモン配線の両側に設けられたスリットの数はそれぞれの側で同一であることを特
徴とする請求項５に記載の液晶表示パネル。
【請求項７】
前記コモン配線に最も近接する両側のスリットの端部は前記コモン配線上で結合されて
いることを特徴とする請求項５又は６に記載の液晶表示パネル。
【請求項８】
前記複数のスリットは各画素の奇数行と偶数行とでそれぞれ互いに反対方向に傾いてい
ることを特徴とする請求項３〜７のいずれかに記載の液晶表示パネル。
【請求項９】
前記信号線は、前記走査線と直交する方向にクランク状に設けられており、前記複数の
第１の電極及び第２の電極はデルタ配置されていることを特徴とする請求項１〜８のいず
れかに記載の液晶表示パネル。
【請求項１０】
前記カラーフィルタ層は端部が走査線方向に互いに重なっており、前記カラーフィルタ
の中心は前記カラーフィルタ層が重なっている部分を除いたカラーフィルタ層の中心線で
あることを特徴とする請求項１〜３のいずれかに記載の液晶表示パネル。
【発明の詳細な説明】
【技術分野】
【０００１】
本発明は、いわゆるフリンジ・フィールド・スィッチング（Fringe Field Switching：
以下、「ＦＦＳ」という。）モードと呼ばれているような液晶層を挟持した一対の基板の
うち一方の基板に共通電極と、この共通電極と絶縁膜を介して形成された画素電極とが備
えられ、共通電極と画素電極との間に生じる電界によって液晶層を駆動する液晶表示パネ
ルに関し、特に各画素電極に設けるスリットを一方端側が開放されたものとした場合に、
画素電極とカラーフィルタの位置関係を見直すことによって混色が発生しないようにした
明るい液晶表示パネルに関する。
【背景技術】
【０００２】
近年、情報通信機器のみならず一般の電気機器においても液晶表示パネルが多く利用さ
れている。従来から多く用いられている液晶表示パネルは、表面に電極等が形成された一
対のガラス等からなる基板と、この一対の基板間に形成された液晶層と、からなり、両基
板上の電極に電圧が印加されることにより、液晶を再配列させて光の透過率を変えること
により種々の映像を表示する、言わば縦方向電界モードともいうべきものである。このよ
うな縦方向電界モードの液晶表示パネルは、ＴＮ（Twisted Nematic）モードやＶＡ（Ver
tical Alignment）モードのものが存在するが、視野角が狭いという問題点が存在するた
め、ＭＶＡ（Multidomain Vertical Alignment）モード等種々の改良された縦方向電界モ
ードの液晶表示パネルが開発されている。
【０００３】
一方、上述の縦方向電界モードの液晶表示パネルとは異なり、一方の基板にのみ電極を
備えた横方向電界モードと言うべき液晶表示パネルも、ＩＰＳ（In-Plane Switching）モ
ードの液晶表示パネルとして知られている（下記特許文献１及び２参照）。ここでこのＩ
ＰＳモードの液晶表示パネルの動作原理を図８及び図９を用いて説明する。なお、図８は
ＩＰＳモードの液晶表示パネルの１画素分の模式平面図であり、図９は図８のＣ−Ｃ線に
沿った断面図である。
【０００４】
このＩＰＳモードの液晶表示パネル５０は、アレイ基板ＡＲとカラーフィルタ基板ＣＦ
とを備えている。アレイ基板ＡＲは、第１の透明基板５１の表面にそれぞれ平行に複数の
走査線５２及びコモン配線５３が設けられ、これら走査線５２及びコモン配線５３に直交
する方向に複数の信号線５４が設けられている。そして、各画素の中央部にコモン配線５
３から帯状に、図８においては例えば櫛歯状の対向電極５５が設けられ、この対向電極５
５の周囲を挟むように同じく櫛歯状の画素電極５６が設けられており、この画素電極５６
の表面は例えば窒化硅素からなる保護絶縁膜５７及びポリイミド等からなる配向膜５８に
よって被覆されている。
【０００５】
そして、走査線５２と信号線５４との交差点近傍にはスイッチング素子としてのＴＦＴ
（Thin Film Transistor：薄膜電界効果トランジスタ）が形成されている。このＴＦＴは
、走査線５２と信号線５４との間に半導体層５９が配置され、半導体層５９上の信号線部
分がＴＦＴのソース電極Ｓを構成し、半導体層５９の下部の走査線部分がゲート電極Ｇを
構成し、また、半導体層５９の一部分と重なる画素電極５６の部分がドレイン電極Ｄを構
成している。
【０００６】
また、カラーフィルタ基板ＣＦは、第二の透明基板６０の表面にＲＧＢいずれかのカラ
ーフィルタ層６１、オーバーコート層６２及び配向膜６３が設けられた構成を有している
。そして、アレイ基板ＡＲの画素電極５６及び対向電極５５とカラーフィルタ基板ＣＦの
カラーフィルタ層６１側とが互いに対向するようにアレイ基板ＡＲ及びカラーフィルタ基
板ＣＦを対向させ、その間に液晶ＬＣを封入するとともに、両基板のそれぞれ外側に偏光
板６４及び６５を偏光方向が互いに直交する方向となるように配置することにより、ＩＰ
Ｓモードの液晶表示パネル５０が形成される。
【０００７】
このＩＰＳモードの液晶表示パネル５０は、図９に示したように、画素電極５６と対向
電極５５との間に電界を形成すると、水平方向に配向していた液晶が水平方向に旋回する
ことによりバックライトからの入射光の透過量を制御することができるようになる。この
ＩＰＳモードの液晶表示パネル５０は、広視野角で、高コントラストであるという長所が
あるが、対向電極５５がコモン配線５３ないし走査線５２と同じ金属材料で形成されるた
めに開口率及び透過率が低く、又、視角による色変化があるという問題点が存在する。
【０００８】
このようなＩＰＳモードの液晶表示パネルの低開口率及び低透過率という問題点を解決
するために、いわゆる斜め電界方式ともいうべきＦＦＳモードの液晶表示パネルが開発さ
れている（下記特許文献３〜６参照）。このＦＦＳモードの液晶表示パネルの動作原理を
図１０及び図１１を用いて説明する。なお、図１０はＦＦＳモードの液晶表示パネルの１
画素分の模式平面図であり、図１１は図１０のＤ−Ｄ線に沿った断面図である。
【０００９】
このＦＦＳモードの液晶表示パネル７０Ａは、アレイ基板ＡＲとカラーフィルタ基板Ｃ
Ｆとを備えている。アレイ基板ＡＲは、第１の透明基板７１の表面にそれぞれ平行に複数
の走査線７２及びコモン配線７３が設けられ、これら走査線７２及びコモン配線７３に直
交する方向に複数の信号線７４が設けられている。そして、走査線７２及び信号線７４で
区画された領域のそれぞれを覆うようにコモン配線７３に接続されたＩＴＯ（Indium Tin
Oxide）等からなる透明材料で形成された共通電極（「対向電極」ともいわれる）７５が
設けられ、この共通電極７５の表面に絶縁膜７６を介してストライプ状に複数のスリット
７７Ａが形成されたＩＴＯ等の透明材料からなる画素電極７８Ａが設けられている。そし
て、この画素電極７８Ａ及び複数のスリット７７Ａの表面は配向膜８０により被覆されて
いる。
【００１０】
そして、走査線７２と信号線７４との交差位置の近傍にはスイッチング素子としてのＴ
ＦＴが形成されている。このＴＦＴは、走査線７２の表面に半導体層７９が配置され、半
導体層７９の表面の一部を覆うように信号線７４の一部が延在されてＴＦＴのソース電極
Ｓを構成し、半導体層７９の下部の走査線部分がゲート電極Ｇを構成し、また、半導体層
７９の一部分と重なる画素電極７８Ａの部分がドレイン電極Ｄを構成している。
【００１１】
また、カラーフィルタ基板ＣＦは、第二の透明基板８２の表面にＲＧＢいずれかのカラ
ーフィルタ層８３、オーバーコート層８４及び配向膜８５が設けられた構成を有している
。そして、アレイ基板ＡＲの画素電極７８Ａ及び共通電極７５とカラーフィルタ基板ＣＦ
のカラーフィルタ層８３とが互いに対向するようにアレイ基板ＡＲ及びカラーフィルタ基
板ＣＦを対向させ、その間に液晶ＬＣを封入するとともに、両基板のそれぞれ外側に偏光
板８６及び８７を偏光方向が互いに直交する方向となるように配置することにより、ＦＦ
Ｓモードの液晶表示パネル７０Ａが形成される。
【００１２】
このＦＦＳモードの液晶表示パネル７０Ａは、画素電極７８Ａと共通電極７５の間に電
界を形成すると、図１１に示したように、この電界は画素電極７８Ａの両側で共通電極７
５に向かうため、スリット７７Ａに存在する液晶だけでなく画素電極７８Ａ上に存在する
液晶も動くことができる。そのため、ＦＦＳモードの液晶表示パネル７０Ａは、ＩＰＳモ
ードの液晶表示パネル５０よりも広視野角かつ高コントラストであり、更に高透過率であ
るため明るい表示が可能となるという特徴を備えている。加えて、ＦＦＳモードの液晶表
示パネル７０Ａは、ＩＰＳモードの液晶表示パネル５０よりも平面視で画素電極７８Ａと
共通電極７５との重複面積が大きいためにより大きな保持容量が副次的に生じ、別途補助
容量線を設ける必要がなくなるという長所も存在する。
【００１３】
なお、ＦＦＳモードの液晶表示パネルにおいては、下記特許文献１に開示されているＩ
ＰＳモードの液晶表示パネルの場合と同様に、表示特性上、ラビング方向は信号線と直交
するのがよく、また画素電極とラビング方向とは微小角度の傾きを設けた方がよいことか
ら、図１２に示したＦＦＳモードの液晶表示パネル７０Ｂのように画素電極７８Ｂに設け
るストライプ状のスリット７７Ｂを走査線７２に対して傾いた構造とすることが行われて
おり、同じく、開口度を大きくして明るい表示が得られるようになすために、図１３（ａ
）及び図１３（ｂ）に示したＦＦＳモードの液晶表示パネル７０Ｃのように、画素電極７
８Ｃに設けるスリット７７Ｃとして一方端部に開放端７７Ｃ'部分を設けることが行われ
ている。なお、図１３（ｂ）は図１３（ａ）のＥ−Ｅ線に沿ったカラーフィルタ基板をも
含めた断面図である。
【００１４】
また視角によって色変化が認められなくなるようにするため、図１４に示したＦＦＳモ
ードの液晶表示パネル７０Ｄのように、画素電極７８Ｄに設けるストライプ状のスリット
７７Ｄを「く」字状となるように配置してデュアルドメイン化することも、更には、図１
５に示したＦＦＳモードの液晶表示パネル７０Ｅのように、信号線７４が直線状とならな
いようにして画像表示に適したものとするために、信号線７４を走査線７２と直交する方
向にクランク状に設けて複数の共通電極７５Ｅ及び画素電極７８Ｅをデルタ配置とするこ
とも行われている。
【００１５】
なお、図１２〜図１４に示したＦＦＳモードの液晶表示パネル７０Ｂ〜７０Ｄは、図１
０に示したＦＦＳモードの液晶表示パネル７０Ａとは画素電極７８Ｂ〜７８Ｄに設けるス
リット７７Ｂ〜７７Ｄの傾きないし形状が相違するのみであり、更に、図１５に示したＦ
ＦＳモードの液晶表示パネル７０Ｅは、図１０に示したＦＦＳモードの液晶表示パネル７
０Ａとは画素電極７８Ｅに設けるスリット７７Ｅの傾き及び複数の共通電極７５Ｅ及び画
素電極７８Ｅをデルタ配置とした点が相違するのみであるので、図１０に示したＦＦＳモ
ードの液晶表示パネル７０Ａと同一の構成部分については同一の参照符号を付与してその
詳細な説明は省略する。
【００１６】
なお、図１２〜図１５に示したＦＦＳモードの液晶表示パネル７０Ｂ〜７０Ｅにおいて
は、それぞれの画素毎に走査線に平行にコモン配線が設けられているが、このコモン配線
の位置は隣り合う走査線間であれば任意であるので、図示省略してある。また、図１０〜
図１５に示したＦＦＳモードの液晶表示パネル７０Ａ〜７０Ｅにおいては、画素電極に設
ける複数のスリットをいずれも走査線に対して横方向に互いに平行になるように設けた例
を示したが、走査線に対して縦方向に互いに平行に設けることも行われている（図示せず
）。
【特許文献１】特開平１０−３１９３７１号公報（段落［０００５］、［００５３］、［００６５］〜［００７７］、図２、図５、図６）
【特許文献２】特開２００２−１３１７６７号公報（特許請求の範囲、段落［０００６］〜［０００９］、［００１８］〜［００７７］、図１、図３）
【特許文献３】特開２００２−  １４３６３号公報（特許請求の範囲、段落［０００２］〜［００１０］、［００１９］〜［００２６］、図１、図２）
【特許文献４】特開２００２−２４４１５８号公報（特許請求の範囲、段落［０００２］〜［００１３］、［００２３］〜［００３２］、図１〜図４）
【特許文献５】特開２００３−１９５３５２号公報（請求項１〜１０、段落［００１３］、［０１５３］〜［０１６４］、図１〜図３）
【特許文献６】特開２００５−３０９０５２号公報（特許請求の範囲、段落［００１２］〜［００４０］、図１〜図５）
【発明の開示】
【発明が解決しようとする課題】
【００１７】
上述のように、ＦＦＳモードの液晶表示パネルは、ＩＰＳモードの液晶表示パネルより
も広視野角かつ高コントラストであるとともに、高透過率であるであるため明るい表示が
可能となり、更に低電圧駆動ができるとともにより大きな保持容量が副次的に生じるため
に別途補助容量線を設けなくても表示画質が良好となるという特徴を備えている。
【００１８】
このようなＦＦＳモードの液晶表示パネルにおいては、スリットの長辺に実質的に直交
する方向を主とする横電界が生じており、光透過状態に駆動されているときは画素電極の
スリット部分及びこのスリットに平行な画素電極部分がともに線状に光を透過する状態と
なり、あたかも画素電極のスリット部分及びこのスリットに平行な画素電極部分がともに
線状に発光した状態に見えるようになる。一方、スリットの長さ方向の端部が閉じた短辺
部分においては、短辺に実質的に直交する方向を主とする横電界が生じているため、２方
向の横電界が生じた状態となり、液晶分子の一部が逆方向に捻られた状態（リバースツイ
スト）が発生し、透過光を厳密に制御することができない状態となるので、表示領域の輝
度を低下させてしまう恐れがある。
【００１９】
ところで、図１３に示したＦＦＳモードの液晶表示パネル７０Ｃのように画素電極７８
Ｃに設けるスリット７７Ｃとして一方端部に開放端７７Ｃ'部分を設けたものにおいては
、スリットの開放端７７Ｃ'部分に至るまで正常に電界が生じて液晶素子がツイストする
ので（フリンジ効果を奏するので）、スリットの長さ方向の両端部が閉じたＦＦＳモード
の液晶表示パネルよりも表示開口面積が図１３（ｂ）で寸法Ｍだけ広くなり、明るい表示
のＦＦＳモードの液晶表示パネルが得られる。
【００２０】
しかしながら、画素電極に設ける複数のスリットが信号線と交差する方向に延びるもの
である場合、スリットの一方端部に開放部分を設けたＦＦＳモードの液晶表示パネル７０
Ｃにおいては時折混色の発生が見られた。発明者等はこのような画素電極に設けるスリッ
トとして一方端部に開放部分を設けたＦＦＳモードの液晶表示パネルにおける混色の発生
原因について種々検討を重ねた結果、以下のような原因によるものであることを知見した
。
【００２１】
すなわち、図１３（ａ）のＥ−Ｅ線に沿ったカラーフィルタ基板をも含めた断面図であ
る図１３（ｂ）に示したように、各画素の画素電極７８Ｃの信号線７４に沿った方向の中
心線９１は物理的に画素電極７８Ｃの幅方向の中間に位置している。しかしながら、表示
幅Ｌ２は画素電極７８Ｃに設けられたスリット７７Ｃの一方側の閉鎖端から他方側の開放
端７７Ｃ'＋Ｍ（図１３のＭ）までとなるので、信号線７４に沿った表示領域の表示中心
線９２はスリット７７Ｃの開放端７７Ｃ'側にずれた位置にある。従来は、平面視でカラ
ーフィルタの左右端が信号線７４の中心と同じ位置にあったので、カラーフィルタの左端
から表示領域間までの距離をＲｍとし、カラーフィルタの右端から表示領域間までの距離
をＬｍとすると、Ｒｍ>Ｌｍとなる。
【００２２】
また、画素電極７８Ｃの幅をＬ１とすると、画素電極７８Ｃの中心線９１と表示中心線
９２との間の距離ΔＬは、
ΔＬ＝（Ｌ１−Ｌ２）／２
となる。このΔＬの値は製造装置等により多少の違いがあるが、約１〜５μｍ程度である
。
【００２３】
そうすると、アレイ基板ＡＲ及びカラーフィルタ基板ＣＦを組み合わせる場合、スリッ
ト７７Ｃの開放端７７Ｃ'側では表示領域が画素電極７８Ｃの端に近くなるので、ズレの
余裕はＬｍとなるので小さい。これに対し、スリット７７Ｃの閉鎖端側では表示領域が画
素電極７８Ｃの端から離れるので、ずれの余裕はＲｍとなるので大きい。したがって、ス
リット７７Ｃの開放端７７Ｃ'が右にある場合、ＣＦ基板が右に少々ずれたとしても色は
変わらないが、ＣＦ基板が左にずれると少しずれただけで隣のＣＦが表示領域に被ってく
るので混色してしまうわけである。なお、混色を防止するためにカラーフィルタ基板ＣＦ
において、隣同士の色の間に所謂ブラックマトリクスを設けておくことも考えられるが、
基板のずれを考慮して混色を防止するためのブラックマトリクスを形成しようとすると、
光を透過しないブラックマトリクスの幅をかなり大きくする必要があり、透過率を犠牲に
してしまうことになる。
【００２４】
本発明は上述のような画素電極に設けるスリットとして一方端部に開放部分を設けたＦ
ＦＳモードの液晶表示パネルの混色の問題点を解決すべくなされたものであって、その目
的は画素電極とカラーフィルタの位置関係を見直すことによって混色が発生しないように
するとともに明るい表示が可能な液晶表示パネルを提供することにある。
【課題を解決するための手段】
【００２５】
上記目的を達成するため、本発明の液晶表示パネルは、平行に設けられた複数の走査線
と、前記走査線と直交する方向に設けられた複数の信号線と、複数の前記走査線及び信号
線で区画された領域に形成された第１の電極と、前記第１の電極と絶縁膜を介して形成さ
れた第２の電極と、前記第２の電極に前記信号線と交差する方向に互いに平行に設けられ
た複数のスリットと、を有するアレイ基板と、カラーフィルタ層を有するカラーフィルタ
基板と、前記アレイ基板と前記カラーフィルタ基板とにより挟持された液晶層と、を有し
、前記第１の電極と前記第２の電極との間に生じる電界によって前記液晶層を駆動する液
晶表示パネルにおいて、前記複数のスリットは一方端側が開放されており、各画素に対応
する信号線に沿った方向の前記カラーフィルタ層の中心線は平面視で前記第２の電極の中
心線から前記スリットの開放端側へずれていることを特徴とする。
【００２６】
また本発明の液晶表示パネルは、平行に設けられた複数の走査線と、前記走査線と直交
する方向に設けられた複数の信号線と、複数の前記走査線及び信号線で区画された領域に
形成された第１の電極と、前記第１の電極と絶縁膜を介して形成された第２の電極と、前
記第２の電極に前記信号線と交差する方向に互いに平行に設けられた複数のスリットと、
を有するアレイ基板と、カラーフィルタ層を有するカラーフィルタ基板と、前記アレイ基
板と前記カラーフィルタ基板とにより挟持された液晶層と、を有し、前記第１の電極と前
記第１の電極との間に生じる電界によって前記液晶層を駆動する液晶表示パネルにおいて
、前記複数のスリットは一方端側が開放されており、ラーフィルタ層の中心線は平面視で
前記信号線の中心から隣り合う信号線の中心までの距離の中間に位置する中心線から前記
スリットの開放端側へずれていることを特徴とする。なお、本発明における「中心線」と
はいずれも各画素における信号線に沿った方向の「中心線」を意味するものである。
【００２７】
また、本発明は、上記液晶表示パネルにおいて、前記カラーフィルタ層の中心線は、前
記スリットの開放端側へずれている表示中心線と一致していることを特徴とする。
【００２８】
また、本発明は、上記液晶表示パネルにおいて、前記複数のスリットは、前記走査線に
対して傾いた方向に設けられていることを特徴とする。
【００２９】
また、本発明は、上記液晶表示パネルにおいて、走査線間に走査線と平行にコモン配線
が設けられており、前記複数のスリットは前記コモン配線の両側で互いに異なる方向に傾
けて設けられていることを特徴とする。
【００３０】
また、本発明は、上記液晶表示パネルにおいて、前記コモン配線の両側に設けられたス
リットの数はそれぞれの側で同一であることを特徴とする。
【００３１】
また、本発明は、上記液晶表示パネルにおいて、前記コモン配線に最も近接する両側の
スリットの端部は前記コモン配線上で結合されていることを特徴とする。
【００３２】
また、本発明は、上記液晶表示パネルにおいて、前記複数のスリットは各画素の奇数行
と偶数行とでそれぞれ互いに反対方向に傾いていることを特徴とする。
【００３３】
また、本発明は、上記液晶表示パネルにおいて、前記信号線は、前記走査線と直交する
方向にクランク状に設けられており、前記複数の第１の電極及び第２の電極はデルタ配置
されていることを特徴とする。
【００３４】
また、本発明は、前記カラーフィルタ層は端部が走査線方向に互いに重なっており、前
記カラーフィルタの中心は前記カラーフィルタ層が重なっている部分を除いたカラーフィ
ルタ層の中心線であることを特徴とする。
【発明の効果】
【００３５】
本発明は、上記のような構成を備えることにより、以下に述べるような優れた効果を奏
する。すなわち、本発明の液晶表示パネル液晶表示パネルによれば、第２の電極に信号線
と交差する方向に互いに平行に設けられた複数のスリットを一方端側が開放されたものと
するとともに、各画素に対応する信号線に沿った方向の前記カラーフィルタ層の中心線を
平面視で前記第２の電極の中心線から前記スリットの開放端側へずらした、或いは前記信
号線の中心から隣り合う信号線の中心までの距離の中間に位置する中心線から前記スリッ
トの開放端側へずらした、或いはスリットの開放端側にずれた表示中心線に合わせたため
、見かけ上最初からカラーフィルタがずれたようになるが、カラーフィルタ層の右側ズレ
の許容度及び左側ズレの許容度が等しい方に近づく、或いは実質的に等しくなる。そのた
め、カラーフィルタ基板とアレイ基板とを組み合わせた場合に多少の左右ズレがあっても
平面視でカラーフィルタ層が各画素の表示幅の全てを被覆することができるようになるの
で、それぞれの画素における透過光は正確に所定のカラーフィルタ層を透過させることが
できるようになる。
【００３６】
加えて、第２の電極に設ける複数のスリットを一方端側が開放されたものとすることに
よってスリットの開放端側に至るまで正常にフリンジ効果を奏させることができるため、
１画素内で表示領域として機能する領域の面積をスリットの両端が閉じている場合よりも
図３で寸法Ｍだけ広くすることができるので、混色が少ないだけでなく明るい表示のＦＦ
Ｓモードの液晶表示パネルが得られる。
【００３７】
また、本発明の液晶表示パネルによれば、複数のスリットを走査線に対して傾いた方向
に設けるようにしたため、第２の電極と配向膜のラビング方向との間に微小角度の傾きを
形成することができるから、前記の本発明の効果を奏しながらもコントラスト等の表示特
性が良好な液晶表示パネルが得られる。
【００３８】
また、本発明の液晶表示パネルによれば、走査線間に走査線と平行にコモン配線を設け
るとともに、ＦＦＳモードの液晶表示パネルの複数のスリットをコモン配線の両側で互い
に異なる方向に傾けてデュアルドメイン化したため、視角によって色変化が認められ難く
なるので、前記の本発明の効果を奏しながらも表示特性が良好なＦＦＳモードの液晶表示
パネルが得られる。加えて、コモン配線は通常は走査線と同材質の導電性材料から作製さ
れるために不透明であるが、両ドメイン間に生じるディスクリネーション部分を不透明な
走査線によって遮光することができるので、より表示特性が良好な液晶表示パネルが得ら
れる。
【００３９】
また、本発明の液晶表示パネルによれば、コモン配線の両側に設けられたスリットの数
をそれぞれの側で同一としたため、コモン配線を挟んで両側からの視角によって色変化が
認められ難くなるので、表示特性が良好な液晶表示パネルが得られる。
【００４０】
また、本発明の液晶表示パネルによれば、最もコモン配線に近接する両側のスリットの
端部をコモン配線上で結合したため、このコモン配線によって互いに異なる方向に傾いた
スリット同士が隣り合う位置で発生するディスクリネーション部分を小さくできるので、
より表示特性が良好な液晶表示パネルが得られる。
【００４１】
また、本発明の液晶表示パネルによれば、前記複数のスリットを各画素の奇数行と偶数
行とでそれぞれ互いに反対方向に傾いているものとしたため、信号線と交差する方向から
見た場合の視角依存性が減少するので、前記の本発明の効果を奏しながらも表示特性が良
好な液晶表示パネルが得られる。
【００４２】
また、本発明によれば、信号線を走査線と直交する方向にクランク状に設けて複数の第
１電極及び第２の電極をデルタ配置（トライアングル配置ということもある）としたため
、前記の本発明の効果を奏しながらも画像表示に適した液晶表示パネルが得られる。
【００４３】
また、本発明によれば、前記カラーフィルタ層は端部が走査線方向に互いに重なってお
り、前記カラーフィルタの中心は前記カラーフィルタ層が重なっている部分を除いたカラ
ーフィルタ層の中心線であるので、前記の本発明の効果を奏しながらも、隣接するカラー
フィルタ層の位置ずれによってカラーフィルタ層間の隙間から光が漏れることを防止する
ことができる。
【発明を実施するための最良の形態】
【００４４】
以下、図面を参照して本発明の最良の実施形態を説明する。但し、以下に示す実施形態
は、本発明の技術思想を具体化するための液晶表示パネルを例示するものであって、本発
明をこの液晶表示パネルに特定することを意図するものではなく、特許請求の範囲に含ま
れるその他の実施形態のものにも等しく適応し得るものである。
【実施例１】
【００４５】
実施例１の液晶表示パネルは、共通電極と、共通電極上に形成された絶縁膜と、絶縁膜
上に形成された画素電極と、を有するアレイ基板と、カラーフィルタ層を有するカラーフ
ィルタ基板と、アレイ基板とカラーフィルタ基板とにより挟持された液晶層と、を有し、
共通電極と画素電極との間に生じる電界によって液晶層を駆動する液晶表示パネルであり
、これはいわゆるＦＦＳモードと呼ばれる液晶表示パネルである。この実施例１のＦＦＳ
モードの液晶表示パネル１０Ａを製造工程順に図１〜図３を用いて説明する。なお、図１
は実施例１のＦＦＳモードの液晶表示パネルのカラーフィルタ基板及び配向膜を透視して
表した１画素分の概略平面図であり、図２は図１のＡ−Ａ線に沿った断面図であり、また
、図３（ａ）は図１の電極の幅及び中心線と表示幅及び表示中心線とを説明するための概
略平面図であり、図３（ｂ）は図３（ａ）のカラーフィルタ基板をも含めたＢ−Ｂ線に沿
った断面図である。
【００４６】
この実施例１のＦＦＳモードの液晶表示パネル１０Ａは図１３に示した従来例のＦＦＳ
モードの液晶表示パネル７０Ｃに対応するものである。すなわち、この実施例１のＦＦＳ
モードの液晶表示パネル１０Ａのアレイ基板ＡＲは、ガラス基板等の透明基板１１の表面
全体に亘って下部がＡｌ金属からなり表面がＭｏ金属からなる２層膜を形成した後、フォ
トリソグラフィー法及びエッチング法によってＭｏ／Ａｌの２層配線からなる複数の走査
線１２及び複数のコモン配線１３を互いに平行になるように形成している。アルミニウム
は抵抗値が小さいという長所を持っているが、その反面、腐食しやすい、ＩＴＯとの接触
抵抗が高いなどの欠点があるため、アルミニウムをモリブデンで覆った多層構造にするこ
とでそうした欠点を改善できる。なお、ここではコモン配線１３を隣り合う走査線１２の
中間部に設けた例を示したが、このコモン配線１３の位置は隣り合う走査線１２間であれ
ば任意である。
【００４７】
次いで、走査線１２及びコモン配線１３を形成した透明基板１１の表面全体に亘って例
えばＩＴＯからなる透明導電性層を被覆し、同じくフォトリソグラフィー法及びエッチン
グ法によって第１の電極となる共通電極１４を形成する。この共通電極１４はコモン配線
１３とは電気的に接続されているが、走査線１２ないしゲート電極Ｇとは接続されていな
い。更に、この表面全体に窒化硅素層ないしは酸化硅素層からなるゲート絶縁膜１５を被
覆し、次いで、ＣＶＤ法によりたとえばアモルファス・シリコン層をゲート絶縁膜１５の
表面全体に亘って被覆した後に、同じくフォトリソグラフィー法及びエッチング法によっ
て、ＴＦＴ形成領域にａ−Ｓｉ層からなる半導体層１６を形成する。この半導体層１６が
形成されている位置の走査線１２の領域がＴＦＴのゲート電極Ｇを形成する。
【００４８】
次いで、Ｍｏ／Ａｌ／Ｍｏの３層構造の導電性層を半導体層１６を形成した透明基板１
１の表面全体に亘って被覆し、同じくフォトリソグラフィー法及びエッチング法によって
、信号線１７及びドレイン電極Ｄを形成する。この信号線１７のソース電極Ｓ部分及びド
レイン電極Ｄ部分は、いずれも半導体層１６の表面に部分的に重なっている。更に、この
基板の表面全体に窒化硅素層からなる絶縁膜１８を被覆する。
【００４９】
次いで、ドレイン電極Ｄに対応する位置の絶縁膜１８にコンタクトホール１９を形成し
てドレイン電極Ｄの一部を露出させる。更に、この表面全体に亘って例えばＩＴＯからな
る透明導電性層を被覆し、同じくフォトリソグラフィー法及びエッチング法によって、図
１に示したパターンとなるように、走査線１２及び信号線１７で囲まれた領域の絶縁膜１
８上にスリット２０Ａを有する画素電極２１を形成する。第２の電極である画素電極２１
は、平行に伸びるスリット２０Ａの間に位置する帯状の部分と、この帯状部分の一方の端
部では櫛歯状となるように互いに接続する部分と、帯状部分の他方の端部ではそのまま伸
びた状態で互いに接続しない部分とから構成されている。したがってスリット２０Ａの一
方は閉鎖端となり、他方は開放端２０Ａ'となっている。なお図１に示されているが、ス
リット２０Ａは、走査線１２に対して傾斜しており、この傾斜方向は５〜２０°程度の角
度をなす方向となっている。また、この画素電極２１はコンタクトホール１９を介してド
レイン電極Ｄと電気的に接続されている。
【００５０】
さらに、この表面全体に亘って所定の配向膜２４を形成することによりアレイ基板ＡＲ
が完成される。そして、このようにして製造されたアレイ基板ＡＲと別途製造されたカラ
ーフィルタ基板とを対向させ、周囲をシール材でシールして両基板間に液晶を注入するこ
とにより実施例１に係るＦＦＳモードの液晶表示パネル１０Ａが得られる。なお、カラー
フィルタ基板の構成は、以下に図３を引用して説明するように、各画素に対応するカラー
フィルタ層２５ＡＲ，２５ＡＧ，２５ＡＢの中心線３０が平面視で画素電極２１の中心線
３１からスリットの開放端２０Ａ'側へずれた表示中心線３２と一致する位置に設けられ
た以外は従来例のものと実質的に差異はないので、その詳細な説明は省略する。
【００５１】
図３（ａ）及び図３（ｂ）に示したように、実施例１のＦＦＳモードの液晶表示パネル
１０Ａにおいては、各画素の画素電極２１の信号線１７に沿った方向の中心線３１は物理
的に画素電極２１の幅方向の中間に位置している。しかしながら、透過光を厳密に制御す
ることが可能な表示幅Ｌ２は略画素電極２１に設けられたスリット２０Ａの一方側の閉鎖
端から他方側の開放端２０Ａ'までとなる。したがって信号線１７に沿った表示領域の表
示中心線３２は表示幅Ｌ２の中心に位置しており、スリット２０Ａの開放端２０Ａ'側に
ずれた位置にある。ここで、画素電極２１の幅をＬ１とすると、画素電極の中心線３１と
表示中心線３２との間の距離ΔＬは、
ΔＬ＝（Ｌ１−Ｌ２）／２
となり、このΔＬの値は、既に図１３（ｂ）について述べたように、製造装置等により多
少の違いがあるが、約１〜５μｍ程度である。
【００５２】
そこで、実施例１のＦＦＳモードの液晶表示パネル１０Ａにおいては、各画素に対応す
る信号線１７に沿った方向のカラーフィルタ層２５ＡＲ，２５ＡＧ，２５ＡＢの中心線３
０が平面視で表示中心線３２と一致する位置となるように配置する。このようにカラーフ
ィルタ層を配置すると、カラーフィルタ層は、スリット２０Ａの開放端２０Ａ'側にずれ
たようになるが、カラーフィルタの左端から表示領域間までの距離をＲｍとし、カラーフ
ィルタの右端から表示領域間までの距離をＬｍとすると、Ｒｍ＝Ｌｍとすることができる
ため、カラーフィルタ層の右側ズレの許容度及び左側ズレの許容度を実質的に等しくする
ことができる。そのため、カラーフィルタ基板とアレイ基板とを組み合わせた場合に多少
の左右ズレがあっても平面視で各画素の表示幅Ｌ２の実質的に全てを被覆することができ
るようになるため、それぞれの画素における透過光は正確に所定のカラーフィルタ層２５
ＡＲ，２５ＡＧ，２５ＡＢを透過するようになり、隣り合う画素からの漏れ光による混色
の発生が少なくなる。
【００５３】
加えて、混色の発生が少なくなるので、例えば隣のカラーフィルタ層との間にブラック
マトリクスを形成するとしてもブラックマトリクスの幅を抑えることができ、実施例１の
図３（ｂ）に示すようにブラックマトリクスを設けない構成であってもよい。なお、実施
例１のＦＦＳモードにおいては、信号線１７と共通電極１４との間に生じる漏れ電界とラ
ビング方向とが一致しているので、信号線１７近傍にて初期配向された液晶分子がこの漏
れ界による影響を受けることは少なく、液晶の初期配向状態が乱されることが少ないので
、ブラックマトリクスを特に設けていない。
【００５４】
そして、実施例１のＦＦＳモードの液晶表示パネル１０Ａにおいては、画素電極２１に
設ける複数のスリット２０Ａを一方端側が開放されたものとすることによってスリット２
０Ａの開放端２０Ａ'側に至るまで正常にフリンジ効果を奏させることができるため、１
画素内で表示領域として機能する領域の面積をスリットの両端が閉じている場合よりも広
くすることができるので、明るい表示のＦＦＳモードの液晶表示パネル１０Ａが得られる
ようになる。
【００５５】
また、この実施例１のＦＦＳモードの液晶表示パネル１０Ａにおいては、各画素の複数
のスリット２０Ａが奇数行と偶数行とでそれぞれ互いに反対方向に傾いているものとして
もよい。このような構成を採用すると、信号線１７と交差する方向から見た場合の視角依
存性が減少するので、より表示画質の良好なＦＦＳモードの液晶表示パネル１０Ａが得ら
れる。なお、実施例１の液晶表示パネルでは、共通電極上に形成された絶縁膜と、この絶
縁膜上に形成された画素電極とが備えられたＦＦＳモードの液晶表示パネルについて説明
したが、これとは逆に画素電極上に形成された絶縁膜と、この絶縁膜上に形成された共通
電極とが備えられたＦＦＳモードの液晶表示パネルでもよい。
【実施例２】
【００５６】
次に実施例２のＦＦＳモードの液晶表示パネル１０Ｂを図４を用いて説明する。なお、
図４は実施例２のＦＦＳモードの液晶表示パネルのカラーフィルタ基板及び配向膜を透視
して表した１画素分の概略平面図である。なお、図４においては図１及び図２に示した実
施例１のＦＦＳモードの液晶表示パネル１０Ａと同一の構成部分については同一の参照符
号を付与してその詳細な説明は省略する。
【００５７】
この実施例２のＦＦＳモードの液晶表示パネル１０Ｂが実施例１の液晶表示パネル１０
Ａと構成が相違する点は、画素電極２１に設けられた複数のスリット２０Ｂは隣り合う走
査線１２の間に設けられたコモン配線１３に対してそれぞれの側で対称となるように異な
る方向に傾いた状態に設けられている点であり、その他の構成は図１及び図２に示した実
施例１のＦＦＳモードの液晶表示パネル１０Ａと実質的に同一である。なお、スリット２
０Ｂの傾きは、コモン配線１３の上側では、走査線１２に対して大体５〜２０°の角度で
傾いており、コモン配線１３の下側では、走査線１２に対して大体−２０〜−５°の角度
で傾いている。また、図示省略したが、この実施例２のＦＦＳモードの液晶表示パネル１
０Ｂにおいても、カラーフィルタ層の中心線が、画素電極の中心線３１よりもスリット２
０Ｂの開放端２０Ｂ'側にずれた位置にあり、ずれの余裕が左右略均等となって混色の発
生を少なくするという効果を有する。
【００５８】
したがって、この実施例２のＦＦＳモードの液晶表示パネル１０Ｂは、実施例１のＦＦ
Ｓモードの液晶表示パネル１０Ａの場合と同様に、混色の発生を少なくすることができる
だけでなく、１画素内で表示領域として機能する領域の面積をスリットの両端が閉じてい
る場合よりも広くすることができるために、明るい表示のＦＦＳモードの液晶表示パネル
１０Ｂが得られるようになる。
【００５９】
加えて、この実施例２のＦＦＳモードの液晶表示パネル１０Ｂにおいては、コモン配線
１３の両側に位置するスリット２０Ｂの数は、ぞれぞれの側で同一の本数となるように設
けられている。従って、この実施例２に係るＦＦＳモードの液晶表示パネル１０Ｂにおけ
る全ての画素の画素電極２１は、各画素単位でコモン配線１３に対して垂直方向に対称性
を備えているため、コモン配線１３に直交する方向には表示画質に視角依存性が少なくな
る。なお、コモン配線１３両側に設けられるスリット２０Ｂの本数は、互いに異なってい
てもよいが、あえて異なるようにすることの利点はないので、視角対称性を確保するため
に同一の本数ずつ設けることが好ましい。
【００６０】
また、この実施例２に係るＦＦＳモードの液晶表示パネル１０Ｂにおいては、コモン配
線１３は走査線１２と同材質のＭｏ／Ａｌの２層配線からなるため、遮光性である。そし
てコモン配線１３に最も近接する両側のスリットの端部は、コモン配線１３の上部で結合
されて「く」字状とされている。このコモン配線１３に最も近接する両側のスリットは、
それぞれ傾斜方向が異なるためにコモン配線１３を起点として液晶分子の配向方向が異な
る状態となるので、コモン配線１３に沿ってディスクリネーションが発生するが、このデ
ィスクリネーション発生部分はコモン配線１３によって遮光されている。そのため、発生
したディスクリネーションは外部から視認し難くなるため、表示画質が向上する。
【００６１】
なお、この実施例２のＦＦＳモードの液晶表示パネル１０Ｂにおいては、各画素の複数
のスリット２０Ｂが奇数行と偶数行とでそれぞれ互いに反対方向に傾いているものとして
もよい。このような構成を採用すると、信号線１７と交差する方向から見た場合の視角依
存性が減少するので、より表示画質の良好なＦＦＳモードの液晶表示パネル１０Ｂが得ら
れる。
【実施例３】
【００６２】
次に実施例３のＦＦＳモードの液晶表示パネル１０Ｃを図５を用いて説明する。なお、
図５は実施例３のＦＦＳモードの液晶表示パネルのカラーフィルタ基板及び配向膜を透視
して表した数画素分の概略平面図である。なお、図５においては図１及び図２に示した実
施例１のＦＦＳモードの液晶表示パネル１０Ａと同一の構成部分については同一の参照符
号を付与してその詳細な説明は省略する。
【００６３】
この実施例３のＦＦＳモードの液晶表示パネル１０Ｃが実施例１の液晶表示パネル１０
Ａと構成が相違する点は、各画素の配置を行毎に互い違いとなるようにデルタ配置とする
とともに、各画素の複数のスリット２０Ｃが奇数行と偶数行とでそれぞれ互いに反対方向
に傾いているようになした点であり、その他の構成は図１及び図２に示した実施例１のＦ
ＦＳモードの液晶表示パネル１０Ａと実質的に同一である。なお、図示省略したが、この
実施例３のＦＦＳモードの液晶表示パネル１０Ｃにおいても、カラーフィルタ層の中心線
が、画素電極の中心線３１よりもスリット２０Ｃの開放端２０Ｃ'側にずれた位置にあり
、ずれの余裕が左右略均等となって混色の発生を少なくするという効果を有する。
【００６４】
したがって、この実施例３のＦＦＳモードの液晶表示パネル１０Ｃは、実施例１のＦＦ
Ｓモードの液晶表示パネル１０Ａの場合と同様に、混色の発生を少なくすることができる
だけでなく、１画素内で表示領域として機能する領域の面積をスリットの両端が閉じてい
る場合よりも広くすることができるために、明るい表示のＦＦＳモードの液晶表示パネル
１０Ｃが得られるようになる。
【００６５】
また、この実施例３のＦＦＳモードの液晶表示パネル１０Ｃは、複数のスリット２０Ｃ
を奇数行と偶数行とでそれぞれ互いに反対方向に傾いているものとしたため、信号線１７
と交差する方向から見た場合の視角依存性が減少するので、表示画質の良好なＦＦＳモー
ドの液晶表示パネル１０Ｃが得られる。
【００６６】
加えて、実施例３のＦＦＳモードの液晶表示パネル１０Ｃにおいては、各画素の配置を
行毎に互い違いとなるようにデルタ配置としたため、信号線１７は走査線１２に対して直
交する方向にクランク状に配置されることとなるため、この信号線１７は直線状とならな
いために信号線１７の部分が目立たたず、画像表示に適したＦＦＳモードの液晶表示パネ
ル１０Ｃが得られる。
【実施例４】
【００６７】
次に実施例４のＦＦＳモードの液晶表示パネル１０Ｄを図６を用いて説明する。なお、
図６は実施例３のＦＦＳモードの液晶表示パネルのカラーフィルタ基板及び配向膜を透視
して表した数画素分の概略平面図であり、図６においては図５に示した実施例３のＦＦＳ
モードの液晶表示パネル１０Ｃと同一の構成部分については同一の参照符号を付与してそ
の詳細な説明は省略する。
【００６８】
この実施例４のＦＦＳモードの液晶表示パネル１０Ｄが実施例３の液晶表示パネル１０
Ｃと構成が相違する点は、各画素に設けるスリット２０Ｄの形状を実施例２に係るＦＦＳ
モードの液晶表示パネル１０Ｂで採用されたような「く」字状とすることによってデュア
ルドメイン化するようにしたものであり、その他の構成は実質的に実施例３のＦＦＳモー
ドの液晶表示パネル１０Ｃの場合と同様である。なお、図示省略したが、この実施例４の
ＦＦＳモードの液晶表示パネル１０Ｄにおいても、カラーフィルタ層の中心線が、画素電
極の中心線３１よりもスリット２０Ｄの開放端２０Ｄ'側にずれた位置にあり、ずれの余
裕が左右略均等となって混色の発生を少なくするという効果を有する。
【００６９】
この実施例４のＦＦＳモードの液晶表示パネル１０Ｄによれば、実施例３のＦＦＳモー
ドの液晶表示パネル１０Ｃと同様の効果が奏される他に、それぞれの画素毎にコモン配線
１３に対して垂直方向に視角対称性が付加されるから、より表示画質が高画質なＦＦＳモ
ードの液晶表示パネル１０Ｄが得られる。
【実施例５】
【００７０】
次に実施例５のＦＦＳモードの液晶表示パネル１０Ｅを図７を用いて説明する。図７は
図１の実施例の図３（ｂ）に対応する断面図である。実施例５の液晶表示パネル１０Ｅは
実施例１の液晶表示パネル１０Ａのカラーフィルタ基板を変更したものである。したがっ
て、実施例５は実施例１の図１、図２、図３（ａ）と同じである。なお、図５においては
図１、図２、図３（ｂ）に示した実施例１のＦＦＳモードの液晶表示パネル１０Ａと同一
の構成部分については同一の参照符号を付与してその詳細な説明は省略する。
【００７１】
図７に示すごとく、実施例５のカラーフィルタ層２５ＥＲ，２５ＥＧ，２５ＥＢはＧ、
Ｂ，Ｒの順に左右の端部を重ねて形成される。重なった部分は非表示領域に形成され、ブ
ラックマトリクスの効果を呈する。隣接するカラーフィルタ層の位置がずれると、実施例
１のときは着色されない光が漏れるが、実施例５では漏れることがない。
【００７２】
カラーフィルタ層２５ＥＲ，２５ＥＧ，２５ＥＢの重なっていない部分の幅Ｌ３の中心
３０は表示幅Ｌ２の中心３１と同一である。したがって、カラーフィルタ層２５ＥＲ，２
５ＥＧ，２５ＥＢの中心線３０が、画素電極の中心線３１よりもスリット２０Ｄの開放端
２０Ｄ'側にずれた位置にあり、ずれの余裕が左右略均等となって混色の発生を少なくす
るという効果を有する。
【００７３】
なお、上述の実施例においては画素電極２１の中心線３１をその幅方向の中間に位置す
るものと定義しているが、これは平面視において、画素電極２１の端部からその横に設け
られている信号線１７までの距離が画素電極２１の両端側で略同じ距離になるように形成
されているためである。したがって、画素電極２１の端部の横に設けられている信号線１
７までの距離が画素電極２１の両端側で異なるように形成されている場合、中心線３１は
信号線１７の中心から隣り合う信号線１７の中心までの距離の中間に位置するものと定義
してもよい。
【００７４】
また、上述の実施例においてはカラーフィルタ層の中心線３０が平面視で表示中心線３
２と一致する位置となるように配置されているが、必ずしも一致する位置となるように配
置されていなくても、カラーフィルタ層の中心線３０が、画素電極の中心線３１よりもス
リット２０Ａの開放端２０Ａ'側にずれた位置にあれば、上記したような混色の発生を少
なくするという効果を有する。
【図面の簡単な説明】
【００７５】
【図１】実施例１のＦＦＳモードの液晶表示パネルのカラーフィルタ基板及び配向膜を透視して表した１画素分の概略平面図である。
【図２】図１のＡ−Ａ線に沿った断面図である。
【図３】図３（ａ）は図１の電極の幅及び中心線と表示幅及び表示中心線とを説明するための概略平面図であり、図３（ｂ）は図３（ａ）のカラーフィルタ基板をも含めたＢ−Ｂ線に沿った断面図である。
【図４】実施例２のＦＦＳモードの液晶表示パネルのカラーフィルタ基板及び配向膜を透視して表した１画素分の概略平面図である。
【図５】実施例３のＦＦＳモードの液晶表示パネルのカラーフィルタ基板及び配向膜を透視して表した数画素分の概略平面図である。
【図６】実施例４のＦＦＳモードの液晶表示パネルのカラーフィルタ基板及び配向膜を透視して表した数画素分の概略平面図である。
【図７】実施例５のＦＦＳモードの液晶表示パネルにおける図３（ａ）のＢ−Ｂ線に沿った断面図である。
【図８】ＩＰＳモードの液晶表示パネルの１画素分の模式平面図である。
【図９】図８のＣ−Ｃ線に沿った断面図である。
【図１０】ＦＦＳモードの液晶表示パネルの１画素分の模式平面図である。
【図１１】図１０のＤ−Ｄ線に沿った断面図である。
【図１２】従来例のＦＦＳモードの液晶表示パネルの模式平面図である。
【図１３】図１３（ａ）は別の従来例のＦＦＳモードの液晶表示パネルの模式平面図であり、図１３（ｂ）は図１３（ａ）のＥ−Ｅ線に沿ったカラーフィルタ基板をも含めた断面図である。
【図１４】デュアルドメイン化したＦＦＳモードの液晶表示パネルの模式平面図である。
【図１５】デルタ配置のＦＦＳモードの液晶表示パネルの模式平面図である。
【符号の説明】
【００７６】
１０Ａ〜１０Ｄ  ＦＦＳモードの液晶表示パネル
１１    透明基板
１２    走査線
１３    コモン配線
１４    共通電極（第１の電極）
１５    ゲート絶縁膜
１６    半導体層
１７    信号線
１８    絶縁膜
１９  コンタクトホール
２０Ａ〜２０Ｄ    スリット
２０Ａ'〜２０Ｄ'    （スリットの）開放端
２１    画素電極（第２の電極）
２４    配向膜
２５ＥＲ，２５ＥＧ，２ＥＡＢ    カラーフィルタ層
３０    カラーフィルタ層の中心
３１    画素電極の中心線
３２    表示中心線
【図１】
2008096960.tif 000003
【図２】
2008096960.tif 000004
【図３】
2008096960.tif 000005
【図４】
2008096960.tif 000006
【図５】
2008096960.tif 000007
【図６】
2008096960.tif 000008
【図７】
2008096960.tif 000009
【図８】
2008096960.tif 000010
【図９】
2008096960.tif 000011
【図１０】
2008096960.tif 000012
【図１１】
2008096960.tif 000013
【図１２】
2008096960.tif 000014
【図１３】
2008096960.tif 000015
【図１４】
2008096960.tif 000016
【図１５】
2008096960.tif 000017